(57)【要約】【目　的】この発明は、ＮＴＴ回線を利用し、在宅の高齢者等の介護を必要とする居住者の緊急時の通報、日々の「おはようコール」の実施による安否確認が容易に行えるシステムである。【構　成】各在宅の高齢者等の自宅に介護支援端末機（１）を設置、病院、老人ホーム等介護センターにパソコン等（７）を設置し、緊急時の通報、「おはようコール」等は、ＮＴＴ回線（３）を活用する。介護支援端末機（１）には、トイレ・浴室呼出釦（２６）、生活サイクルセンサー（２７）等が接続。【特許請求の範囲】
【請求項１】
特定された電話番号を保有する電話設備が、特定の電話番号を保有する電話設備に対して発信し、特定の電話番号を保有する電話設備の呼出をコールした後に呼出のコールを中断、その発信した呼出コールをＮＴＴ回線（３）を介して、受信するべく特定の電話番号を保有する電話設備が、発信先の特定された電話番号を受信し記憶、記憶された発信先の電話番号により個人名又は、所属団体名を判別、受信するべく特定の電話番号により、その内容を判別する、在宅介護支援システム。
【請求項２】
特定された電話番号を保有する電話設備が、特定の電話番号を保有する電話設備に対して発信し、予め決めた呼出コール数で発信を中断、その発信した呼出コールをＮＴＴ回線（３）を介して、受信するべく特定の電話番号を保有する電話設備が、発信先の特定された電話番号の受信、記憶と呼出コール数をカウントし記憶、記憶された発信先の電話番号により個人名又は、所属団体名、呼出コール数により、その内容を判別する、在宅介護支援システム。
【請求項３】
パソコン等（７）等のセンター装置が、回線を介して介護支援端末機等端末機を設置した居住者の安否確認を行う時間を送信、介護支援端末機等端末機が受信し、記憶する、在宅介護支援システム。
【請求項４】
請求項３に記憶された時間に、スピーカ（１３）のアナウンス、表示部（８）による表示、メッセージランプの点灯、アラームの鳴動等の方法により、介護支援端末機等端末機を保有する居住者に通知をする、在宅介護支援システム。
【請求項５】
パソコン等（７）等のセンター装置が、回線を介して、介護支援端末機等端末機を設置した居住者の服薬情報を送信、介護支援端末機等端末機がが受信し、記憶する、在宅介護支援システム。
【請求項６】
請求項５に記憶された服薬情報を、スピーカ（１３）のアナウンス、表示部（８）による表示、メッセージランプの点灯、アラームの鳴動等の方法により、介護支援端末機等端末機を保有する居住者に通知をする、在宅介護支援システム。
【請求項７】
介護支援を目的とする介護支援端末機等の端末機に接続された、ウエブカメラ（２９）等、カメラにより取り込んだ映像情報を、回線を介して、パソコン等（７）等のセンター装置の表示装置に映像を写す、在宅介護支援システム。
【請求項８】
介護支援端末機等の端末機に接続されたインターホン（４０）の押下により、介護支援端末機等の端末機を経由し、ＮＴＴ回線（３）を介して、携帯電話（４）等携帯式電話機との回線を接続する、在宅介護支援システム。
【発明の詳細な説明】
【０００１】
【産業上の利用分野】
この発明は、在宅の高齢者等の住居に介護支援端末機を設置、病院、老人ホーム等の介護支援センターに設置のパソコン等とＮＴＴ回線を介して接続するシステムで、詳しくは、在宅介護における緊急時の緊急通報、生活サイクルによる発信機能等、従来の緊急通報装置に加えて、安否確認、服薬情報の提供、居住者の健康状況のデータ送信、遠隔医療における患者の映像の送信、住居に不在の時は、来訪者との通話機能等の機能を付加し、在宅介護を支援するものである。
又、一般的な利用方法としては、老人会等への出欠席の回答、アンケートに対する回答等居住者が選択し、その回答を送信するシステムでもある。
【０００２】
【従来の技術】
従来の技術は、ＮＴＴ回線を利用し、電話機にコール釦を付加した機器、トイレに設置の呼出釦、浴室に設置の呼出釦及び生活リズムセンサーと接続した緊急通報装置、電子ポットの使用時に発信する方法があるが、いずれも設定された近親者又は、介護組織へ加電するものであり、安否確認や服薬情報の提供等を行うものでは無いのが現状である。
又、特定された電話設備が、特定の電話番号に発信し、受信するべく特定の電話番号により、発信元の個人名又は、所属団体名の判別、予め決めた呼出コール数で内容を判別するシステムは、現在の所存在しない。
パソコンを活用した安否確認、アンケート回答、健康情報の送信等も考えられるが、汎用的で介護支援を受ける高齢者には操作が困難で実質は、無いのに等しく、ＮＴＴ回線を接続する方法で、安否確認及びアンケートの回答を行えば、発信者に電話料金が課金される。
居住者に安否確認を実施を促す案内は、老人ホーム、病院等の介護支援センターが、各居住者に対して、所定の時間に回線を接続しアナウンスによる安否確認の実施を促す案内が必要で、電話料金も課金されるが現状である。
病院及び調剤薬局等が服薬する患者に対しての服薬に関する情報の提供は、薬を手渡す時に説明し、薬袋に記述しているのが現状である。
在宅患者の診察は、最近テレビ電話の活用例が見られる。
不在時の来訪者は、インターホンを鳴動させ居住者の返答がない時は、来訪者が不在との判断をし、用事がある時は、用件を記述したメモをドア等にはさんでいるのが現状である。
【０００４】
【発明が解決しようとする課題】
従来の技術で述べた通り、在宅の高齢者等の居住者に対して、ＮＴＴ回線を利用した緊急通報装置で安否確認を行うには、弱者である居住者に電話料金が課金される。又、安否確認用の押釦等情報を送信する機能の付加が必要であり、安否確認が行われていないのが現状である。
【０００５】
現状は、前述の通りＮＴＴ回線を利用した安否確認が行われておらず、又、在宅の高齢者等の居住者のトイレ等に設置したセンサーで、居住者がトイレを利用した時に反応する、生活サイクルセンサー等は設置されているが、ある一定時間の反応しない時のみに病院、老人ホーム等の介護支援センターへの電話回線を介して発信している。
安否確認と生活サイクルセンサー等、複数の情報を病院、老人ホーム等の介護支援センターに伝達するには、介護支援センター側に２つの電話番号が必要である。
特定された電話設備が、特定の電話番号に対して発信し、予め決めた呼出コール数での発信元の個人名や所属団体名及び内容を判別するシステムの活用例は、現在の所存在しない。
【０００６】
ＮＴＴ回線を利用する安否確認を行うには、在宅の高齢者等居住者へ「これからモーニングコールを実施します。」等案内が必要であるが、ＮＴＴ回線は、１対１の双方向通話である点、案内する居住者の数は、非常に多い点及び電話料金が１居住者毎に必要である事を考慮すれば非常に困難であり、課金もされる。
又、居住者が元気であるとの情報送信する時間を予め設定していても、何分高齢者が多く、なかなか完全に実施できない。
【０００７】
前述の通り、ＮＴＴ回線を利用する安否確認を行うには、在宅の高齢者等居住者への案内が必要で、その案内がなかなか困難である。
【０００８】
在宅で療養している患者の服薬に関する情報は、病院、調剤薬局等で薬の受領時に説明を受ける事と、薬袋に服薬情報が記載されている２情報のみである。
【０００９】
在宅で療養している患者の服薬に関する情報は、薬の受領時に説明を受ける事と、薬袋に服薬情報の記載では、日常の事とは言え、服薬を忘れ、服薬が正しい時間に服薬しない事がある。
【００１０】
在宅患者の診察は、医師の往診が通常であるが、近年遠隔医療が認知され、その必須条件とも言える映像情報を医師への送信する方法はなかなか無く、テレビ電話の活用が一般的である。
【００１１】
緊急通報装置で緊急釦、呼出釦等の押下により、一般電話及び携帯電話への回線を接続して通話するシステムは、多々見受けるが、在宅の高齢者等居住者が不在時の訪問者への対応はなされていない。
【００１２】
【課題を解決するための手段】
本発明で在宅介護支援の「おはようコール」を実施する時は、高齢者等の居住者宅に介護支援端末機を設置、その介護支援端末機は、挨拶キー等各キーに該当する電話番号の記憶しておく。介護支援端末機の挨拶キーの押下すると、記憶されている病院、老人ホーム等の介護支援センターに設置のパソコン等の機器に接続された電話回線の電話番号をダイヤルし発信、規定回数以下の呼出コール後に中断する。病院、老人ホーム等の介護支援センターに設置されたパソコン等の機器は、介護支援端末機よりの電話回線の接続を規定回数以下のコールは、接続を拒否するプログラムを登録、各介護支援端末機に該当する電話番号とその居住者の属性情報、即ち、住居者マスターの登録をする。
病院、老人ホーム等の介護支援センターに設置されたパソコン等の機器は、介護支援端末機より発信された介護支援端末機の呼出コールの中断により、ＮＴＴ局よりＮＴＴ回線を介して発信先の電話番号を送信されるので、その電話番号を記憶、住居者マスターより記憶された電話番号で発信者の特定をする。受信するべく特定の電話番号で、「おはようコール」と判別、特定した発信者即ち、介護支援端末機を保有する住居者は、「おはようコール」への返答があり、健全な状態であると判断。未発信者、即ち、「おはようコール」未返答者は、介護センター側より電話をする。介護センター側より電話にも対応がない時は、不測な事態が発生かも知れないとフォローを行う。
【００１３】
「おはようコール」の実施は、介護センターのパソコン等に接続の電話番号の登録と挨拶キー、生活サイクルセンサー等各キーに該当する、呼出のコール数を設定しておく。介護支援端末機の挨拶キーの押下により、記憶されている病院、老人ホーム等の介護支援センターに設置のパソコン等の機器に接続された電話番号をダイヤルし発信、予め設定したコール数をコールした後に中断する。病院、老人ホーム等の介護支援センターに設置されたパソコン等の機器は、介護支援端末機よりの電話回線の接続を一定回数以下のコールは、接続を拒否するプログラムを登録、各介護支援端末機に該当する電話番号に対応する住居者マスターの登録とコール数に対応する内容も登録。例えば、コール数が１回は、「おはようコール」、コール数が２回は、生活サイクルセンサーの反応との内容。
病院、老人ホーム等の介護支援センターに設置されたパソコン等の機器は、介護支援端末機より発信された呼出のコール数をカウントし記憶、介護支援端末機が呼出を中断により、ＮＴＴ局よりＮＴＴ回線を介して発信先の電話番号を送信されるのでその電話番号を記憶し、電話番号で発信者の特定、コール数で「おはようコール」の情報と特定する。
病院、老人ホーム等の介護支援センターに設置されたパソコン等の機器に登録されている住居者マスターと特定された発信者とつきあわせた後に未発信者を割りだし、その未発信者リストを作成する。その未発信者に大して、病院、老人ホーム等の介護支援センターは、順次電話により安否を確認する。
【００１４】
病院、老人ホーム等の介護支援センターに設置されたパソコン等の機器が、各介護支援端末機に対して各介護支援端末機毎に「おはようコール」を行う時間を夜間等の介護支援端末機を比較的使用する時間外に送信、介護支援端末機が受信、記憶する。
【００１５】
記憶された時間に介護支援端末機は、表示部への表示、スピーカによりアナウンスをする。
【００１６】
病院、老人ホーム等の介護支援センターに設置されたパソコン等の機器が、各介護支援端末機に対して各介護支援端末機を保有する住居者毎に服薬情報を夜間等の介護支援端末機を比較的使用する時間外に送信、介護支援端末機が受信、記憶する。
【００１７】
介護支援端末機に記憶された服薬情報を、例えば、服薬する時間になると介護支援端末機は、表示部への表示、スピーカによりアナウンスをする。
【００１８】
医師が遠隔医療により診察する時は、病院に設置されたパソコン等と介護支援端末機との回線を接続、在宅の患者は、介護支援端末機の集音マイク、スピーカ及びウエブカメラを活用して診察を受ける。ウエブカメラにより在宅の患者の映像を病院に設置されたパソコンに映し出す。
【００１９】
居住者が外出する時は、在不在釦を不在にするとその信号を介護支援端末機が記憶する。
玄関に取り付けたインターホンを訪問者が押下すると、居住者が在宅の時は、通常のインターホンとして機能するが、在不在釦が不在の場合は、インターホンの押下により、介護支援端末機が記憶している、携帯電話機に発信、インターホンと携帯電話機との回線を接続する。
【００２０】
【作　用】
本発明は、以上の様なシステムであるから、在宅の高齢者等の弱者が、ＮＴＴ回線を利用した「おはようコール」が無料で行える。
病院、老人ホーム等の介護支援センターもＮＴＴ回線を接続する事なく「おはようコール」が速やかに実施できる。
【００２１】
高齢者等の居住者宅に設置した端末機に接続された、生活サイクルセンサーの反応と「おはようコール」の発信先の特定の電話番号が同一であっても判別ができる。老人会への案内に対しての出欠席の返事もできる。等電話番号と呼出のコール数の組合せての活用ができ、幅広く利用できる。
【００２２】
病院、老人ホーム等の介護支援センターが、高齢者等の居住者の「おはようコール」を実施する時間を高齢者等の居住者宅に訪問する事なく変更ができる。
【００２３】
在宅の高齢者等が、病院、老人ホーム等の介護支援センターへの「おはようコール」行う時間を忘れていても通知があるため、遅滞なく実施ができる。
病院、老人ホーム等の介護支援センターは、日々「おはようコール」を実施する為のアナウンスが必要なくなると共に、「おはようコール」の実施する時間が分散できる。
【００２４】
通院患者の服薬情報を患者毎に送信がてきる。又変更があった時も同様に患者毎への送信が迅速にできる。
【００２４】
在宅の患者が、日常的とは言え服薬時間を忘れていても、服薬時間の表示、アナウンスの通知により服薬をする事ができ、病気回復の一助となる。
【００２５】
在宅の患者を診察する医師は、患者の顔色を診察できる。又、体温、血圧、脈拍等のデータがタイムリーに収集ができる。
【００２６】
農村部等は、高齢者を在宅で介護している場合、介護する健常者は、介護のみではなく、田や畑で作業をするため、介護する健常者が不在のケースが多く、不在中に訪問者あっても、携帯電話機、インターホンを介して通話ができる。
【００２７】
【実施例】
実施例を図面を参照して説明する。
発信する特定された電話番号を保有する電話設備として、高齢者等の住居に介護支援端末機（１）を設置、受信する特定の電話番号を保有する電話設備として、病院、老人ホーム等の介護支援センターに、パソコン等（７）の設置による、「おはようコールシステム」を例に説明をする。
介護支援端末機（１）の挨拶（１８）釦を押下すると、記憶部（９）に記憶されている、パソコン等（７）の電話番号を自動的にダイヤルをすると、ＮＴＴ回線（３）を介して、パソコン等（７）の呼出を行い、その呼出のコール数を規定回数以下で中断、パソコン等（７）は、その電話呼出に対しては、規定回数以上の呼出コール数以下は、ＮＴＴ回線（３）を接続拒否のプログラムの登録、パソコン等（７）側に接続するＮＴＴ回線（３）は、ＮＴＴのナンバーディスプレイのサービスに加入する。
中断された発信元、即ち、介護支援端末機（１）を保有する居住者の電話番号をＮＴＴ局が着信予定の電話番号保有者、即ち、パソコン等（７）に中断した電話番号を送信、パソコン等（７）が受信、記憶する。
パソコン等（７）は、記憶した電話番号と居住者の属性情報に登録されている情報により、居住者名を判別、受信するパソコン等（７）の電話番号により、「おはようコール」である事を判別し、居住者が、現在健全な状態であるとの判断をする。一定時間経過後、全ての「おはようコール」が終了したとの判断後、未発信の介護支援端末機（１）を割り出し、その未発信の介護支援端末機（１）のリストを作成、そのリストよりパソコン等（７）のマウス等により選択をすると自動的にダイヤルをし、その選択された介護支援端末機（１）の保有者とのＮＴＴ回線の接続を促し、接続できた介護支援端末機（１）の保有者との会話を行う。
接続できなかった介護支援端末機（１）の保有者は、不測な事態であるかも知れないとの見解で後のフォローを行う。よって「おはようコール」が終了する。
次に、介護支援端末機（１）が設置されている居住者の生活サイクル、例えば、トイレの使用有無により安否を確認する方法の安否確認システムを図面を参照して説明する。
生活サイクルセンサー（２７）をトイレに設置、介護支援端末機（１）の生活サイクルセンサー（２７）が発信する電話番号を「おはようコールシステム」で使用する電話番号以外の特定電話番号を登録しておく。
居住者がトイレを使用した時は、生活サイクルセンサー（２７）が反応し、介護支援端末機（１）に信号を送信、介護支援端末機（１）が受信する。受信された生活サイクルセンサー（２７）の信号により、介護支援端末機（１）の記憶部（９）に記憶されている、生活サイクルセンサー（２７）に対応した、パソコン等（７）の電話番号を自動的にダイヤルをすると、ＮＴＴ回線（３）を介して、パソコン等（７）の呼出を行い、その呼出コール数を規定回数以下で中断、中断された発信元、即ち、介護支援端末機（１）を保有する居住者の電話番号をＮＴＴ局が着信予定の電話番号保有者、即ち、パソコン等（７）に中断した電話番号を送信、パソコン等（７）が受信、記憶する。記憶した電話番号と居住者の属性情報に登録されている情報とつきあわせ、居住者名を判別、受信するパソコン等（７）の受信する電話番号により、生活サイクルセンサー（２７）が反応した事をを判別し、居住者が、現在健全な状態であるとの判断をする。
パソコン等（７）の特定の電話番号を「おはようコールシステム」の挨拶（１８）釦の押下による発信する特定の電話番号と生活サイクルセンサー（２７）の反応により発信する特定の電話番号を同一にした、安否確認をする方法もある。その方法は、「おはようコール」も生活サイクルセンサー（２７）の反応も居住者が健全な状態であるとの判断。又は、「おはようコール」の時間以外は、生活サイクルセンサー（２７）の反応との判断。又、生活サイクルセンサー（２７）と同様な機能を有する機器を接続しても良く、例えば、電子ポットを使用すると発信する機能を有する電子ポットと介護支援端末機（１）と接続すると、電子ポットを居住者が使用した都度、その信号がパソコン等（７）に収集される。
緊急通報として使用する時は、介護支援端末機（１）の緊急（２２）が発信する電話番号を「おはようコールシステム」で使用する電話番号以外の特定電話番号を登録しておく。緊急（２２）釦の押下により、記憶部（９）に記憶されている、緊急（２２）に対応した、パソコン等（７）の電話番号を自動的にダイヤルをする、ＮＴＴ回線（３）を介して、パソコン等（７）の呼出を行い、パソコン等（７）は、即座にＮＴＴ回線（３）の接続を促し、ＮＴＴ回線（３）の接続する。ＮＴＴ回線（３）が接続されると、発信者、即ち、介護支援端末機（１）の記憶部（９）が記憶している、居住者のＩＤを介護支援端末機（１）が送信、パソコン等（７）が受信、ＮＴＴのナンバーディスプレイのサービスによる電話番号も受信、居住者のＩＤ及び電話番号により、パソコン等（７）のディスプレイに発信した居住者の必要な属性情報の表示と双方通話による呼びかけを行う
発信する特定された電話番号を保有する電話設備として、高齢者等の住居に介護支援端末機／Ａ（３１）を設置した時の動作を説明してみると、挨拶（１８）の押下により、ダイヤル発信部（３２）に記憶されている、パソコン等（７）が接続されている電話番号をダイヤル発信部（３２）が自動的にダイヤルすると、パソコン等（７）の呼出を行い、その呼出のコール数を規定回数以下で中断、中断された介護支援端末機（１）を保有する居住者の電話番号をＮＴＴ局が着信予定のパソコン等（７）に接続された電話設備に中断した電話番号を送信、パソコン等（７）が受信し、居住者名の判別と「おはようコール」である事も判別する。緊急通報の時は、緊急（２２）の押下により、緊急通報に対応するパソコン等（７）側の電話番号をダイヤル発信部（３２）が自動的にダイヤルをすると、パソコン等（７）側は、ＮＴＴ回線（３）の接続を促し、ＮＴＴ回線（３）を接続、接続された介護支援端末機／Ａ（３１）は、保護回路（３３）を経由して電話機（２）との双方通話を可能にする。この時の電話機（２）は、既設の電話機（２）でも良い。
介護支援端末機（１）は、介護支援端末機／基本型（３０）、介護支援端末機／Ａ（３１）及び介護支援端末機／Ｂ（３４）等、必要な機能が装備されていれば何でも良くこだわらない。
受信側のパソコン等（７）もパソコン、サーバー及び携帯電話等又は、専用機器の開発による専用機器でも良く、機能が装備されていればこだわらない。又、パソコン等（７）とパソコン（３９）と接続し、未発信者の居住者、緊急通報を発信した居住者情報等を送信、パソコン（３９）等機器が受信、記憶し、パソコン（３９）等の機器の情報による、未発信の居住者宅への訪問等、具体的な行動をする方法でも活用できる。
受信側のパソコン等（７）を携帯電話（４）での受信、携帯電話（４）と接続したノートパソコン（３８）による未発信者リストの作成、表示等、情報を収集すれば、移動中の車両での情報が収集でき、迅速な活動が可能になる。
介護支援端末機（１）への受信すべく特定された電話番号の登録方法は、パソコン等（７）の送信による登録、介護支援端末機（１）にテンキー等を付加しても登録と登録方法は何でも良い。
介護支援端末機（１）と挨拶（１８）等との接続は、有線、無線を問いません。
既設の電話機（２）で発信する方法もある。
高齢者等の住居側が、ＮＴＴのナンバーディスプレイサービスに加入と電話機もそのナンバーディスプレイサービスに対応した電話機であれば、パソコン等（７）より発信する方法もある。
【００２８】
発信する特定された電話番号を保有する電話設備として、高齢者等の住居に介護支援端末機（１）を設置、受信する特定の電話番号を保有する電話設備として、病院、老人ホーム等の介護支援センターに、パソコン等（７）の設置による、「おはようコールシステム」を例に説明をする。
介護支援端末機（１）の挨拶（１８）釦を押下すると、記憶部（９）に記憶されている、パソコン等（７）の電話番号を自動的にダイヤルをすると、ＮＴＴ回線（３）を介して、パソコン等（７）の呼出を行い、その呼出のコール数を「おはようコール」であると規定するコール回数で中断、パソコン等（７）は、呼出のコール数に対応し、「おはようコール」、生活サイクルセンサー（２７）の反応である等の内容の登録と、各介護支援端末機（１）に対応した電話番号及び氏名、性別、年齢、住所等の属性情報も登録されている。
中断された発信元、即ち、介護支援端末機（１）を保有する居住者の電話番号をＮＴＴ局が着信予定の電話番号保有者、即ち、パソコン等（７）に中断した電話番号を送信、パソコン等（７）が受信、記憶する。又、そのコール数も記憶する。
パソコン等（７）は、記憶した電話番号と居住者の属性情報により、居住者名を判別、コール数により居住者が、現在健全な状態であるとの判別をする。
一定時間経過後、全ての安否確認が終了したとの判断後、未発信の介護支援端末機（１）を割り出し、不測な事態であるかも知れないとの見解で後のフォローを行う。
生活サイクルセンサー（２７）の反応による動作は、「おはようコール」と同様な動作をするが、記憶部（９）に記憶されている、生活サイクルセンサー（２７）の反応であると規定するコール回数で中断する。パソコン等（７）は、呼出のコール回数により、生活サイクルセンサー（２７）が反応したとの判別をする。又、電子ポットを使用すると発信する機能有する電子ポットと介護支援端末機（１）を接続する時も同様に、呼出のコール回数で判別をする。
このシステムは、アンケートの回答、会合の案内に対する出欠席の返事等々にも活用できる。例えば、老人会の案内は、パソコン等（７）より老人会の開催日時等の案内文を各介護支援端末機（１）に発信すると、介護支援端末機（１）はその案内文を受信、記憶する。表示部（８）はメール受信している事の表示をする。介護支援端末機（１）の保有者は、選択（１９）を押下すると、表示部（８）にはメニュー画面が表示、メニュー画面のメールメニュー表示画面を選択、確認（２０）の押下により、メール文が表示される。
メールメニュー表示画面に複数のメール文がある時は、選択（１９）の押下により、カーソルが下段に移動、最下段での選択（１９）の押下は、最上段に移動、確認（２０）の押下でカーソル部が選択される。
老人会の案内に対しての出欠席の返事は、メニュー画面より、会合への出欠席のを選択すれば、画面に「出席」、「欠席」が表示し、「出席」を選択し、確認（２０）を押下すれば、記憶されている電話番号への発信と規定呼出のコール数で中断する。パソコン等（７）側は、発信元の電話番号と呼出のコール回数で、発信元の電話番号の介護支援端末機（１）の保有者が「出席」との判断をする。介護支援端末機（１）の操作は、この操作方法にはこだわらず、どのような方法でも良く、パソコン等（７）側の発信したメール文が表示でき、特定した電話番号への発信と呼出のコール数が制御できれば良い。
この老人会の案内が、ＦＡＸ、電話等での案内、専用にアンケート用の押釦を設けた時の出欠席の返事をする方法は、専用の押釦、例えば、「はい」「いいえ」を設けたケースでの出欠席の返事は、出席の時は「はい」を押下、欠席の時は、「いいえ」を押下すると、「はい」に対応する規定回数を記憶部（９）が記憶、呼出のコール数を規定回数で中断、欠席の時も「いいえ」に対応する規定の呼出コール数で中断する。
パソコン等（７）側の受信するべく特定された電話番号と呼出のコール数の組合せにより何通りもの内容が判別できるが、介護支援端末機（１）の緊急（２２）の押下は、事態が緊急で介護支援端末機（１）の保有者との迅速なる双方向通話が必要ですので、単独で受信する電話番号の用意とパソコン等（７）は、呼出のコールに対しての拒否は行わず通常のＮＴＴ回線との接続をする。
緊急通報の機能としては、介護支援端末機（１）に呼出釦（２５）、トイレ浴室呼出釦（２６）を接続、呼出釦（２５）、トイレ浴室呼出釦（２６）の押下により、パソコン等（７）の緊急用の単独の電話回線との接続し、双方通話を可能にする。
介護支援端末機（１）と接続する、呼出釦（２５）、トイレ浴室呼出釦（２６）等の接続方法は、有線、無線どちらの方法でも良い。
生活サイクルセンサー（２７）の作動は、介護支援端末機（１）を設置した居住者が健全な状況であり、「おはようコール」と同一の特定の電話番号で良く、呼出のコール数により判別をする方法ができる。又、生活サイクルセンサー（２７）と在不在釦（２８）を組み合わせての活用がある。例えば、在不在釦（２８）が不在の時、生活サイクルセンサー（２７）は、何時間も反応しなくても、居住者が健全な状態であり、在不在釦（２８）が、在室を示している時は、一定時間以上生活サイクルセンサー（２７）が反応しない時は、居住者への電話等の対応が必要と判断する。
この、パソコン等（７）側の受信する電話番号と呼出のコール数の組合せによる判別をする、及びパソコン等（７）側の受信する電話番号と呼出のコールで判別をする方法は、介護支援システム以外での活用をしても良い。
【００２９】
パソコン等（７）が、「おはようコール」を実施する時間を設定し、各介護支援端末機（１）毎に設定した「おはようコール」を実施する時間をを送信、ＮＴＴ回線（３）を介して、各介護支援端末機（１）が受信、記憶部（９）が記憶をする。
介護支援端末機（１）の設置数が多い、介護支援端末機（１）設置の所有者の生活サイクルの相違等の条件をもとに、各介護支援端末機（１）をブロック分けをし、ブロック毎に、「おはようコール」を実施する時間を設定し、パソコン等（７）が、該当介護支援端末機（１）へ送信、記憶部（９）が記憶をする。
この処理は、各介護支援端末機（１）側は、無人で処理ができ、各介護支援端末機（１）を比較的活用しない夜間に実施する事もできる。
又、「おはようコール」を実施する時間を多少ずらすことにより、パソコン等（７）側の受信時間の集中が回避できる。
「おはようコール」を実施する時間を変更する時は、変更後の時間を設定し、パソコン等（７）に登録、介護支援端末機（１）への送信、介護支援端末機（１）が受信、記憶部（９）が記憶をし、「おはようコール」を実施する時間が変更される。
「おやすみコール」を実施すれば、１日２回の安否確認も可能になる。
【００３０】
介護支援端末機（１）の記憶部（９）が記憶した、「おはようコール」を実施する時間になると、制御部（１０）が表示部（８）への表示、スピーカ（１３）よるアナウンスの行う。
介護支援端末機（１）にメッセージランプ、アラーム鳴動装置等を接続すれば、「おはようコール」時間に、メッセージランプの点灯、アラームが鳴動する。居住者へのこの通知方法は、こだわらず、居住者に良く通知できれば良い。
又、挨拶（１８）を押下した時に「今日も一日元気に頑張りましょう」等のアナウンスもできる。
「おやすみコール」を実施する時は、「おやすみコール」を実施する時間に、表示、アナウンス等の居住者への通知をする。
【００３１】
各介護支援端末機（１）の保有者毎に服薬情報をパソコン等（７）に登録、パソコン等（７）は、該当する介護支援端末機（１）へＮＴＴ回線（３）を介して送信、該当する介護支援端末機（１）が受信し、記憶部（９）が記憶する。
服薬情報に変更がある時は、その変更情報を登録して、該当する介護支援端末機（１）の保有者毎の服薬情報のメンテナンスを行う。
【００３２】
記憶部（９）が記憶した服薬情報を、制御部（１０）が表示部（８）への表示、スピーカ（１３）よるアナウンスの行う。
例えば、服薬時間になると、表示部（８）が服薬する薬名と服薬数の表示、スピーカ（１３）が服薬する時間とのアナウンスの行う。
各介護支援端末機（１）の保有する居住者に通知する方法としては、こだわらず、メッセージランプの点灯、アラームの鳴動等、通知する方法は、何でも良い。
【００３３】
介護支援端末機（１）に接続された、ウエブカメラ（２９）より入力された患者の映像情報は、公衆回線モデム（１４）、ＮＴＴ回線（３）を介して、ＴＡ／ＤＳＵ（５）を経由して、パソコン等（７）が受信、パソコン等（７）のディスプレイに映像を表示する。
回線がＡＤＳＬの時は、ＡＤＳＬモデム（３７）、スプリッタ（３６）、ＮＴＴ地域ＩＰ網又は、ＡＤＳＬ事業者の接続点を介して、パソコン等（７）と回線を接続する。
又、介護支援端末機（１）の保有者毎が、体温、脈拍、血圧等を測定し、測定した体温、脈拍、血圧等をリモコン（２３）に置数すると、介護支援端末機（１）の表示部（８）に表示、表示された数字を確認後、入力信号受信部（１５）より、介護支援端末機（１）の記憶部（９）に記憶、記憶された体温、脈拍、血圧等のデータは、介護支援端末機（１）の選択（１９）の押下により、表示部（８）にメニュー画面が表示、メニュー画面のバイタルサイン送信を選択し、確認（２０）を押下すれば、パソコン等（７）へ送信する。
【００３４】
介護支援端末機（１）を保有する居住者が、出かける時には、在不在釦（２８）の不在を押下、帰宅すれば在室を押下すると、その信号が介護支援端末機（１）の記憶部（９）が記憶、又、不在でインターホン（４０）の押下の時に発信する電話番号も登録しておく。
在不在釦（２８）が不在の時、即ち、記憶部（９）の記憶が不在の時、インターホン（４０）の押下により、制御部（１０）が記憶部（９）に記憶、登録されている電話番号を自動的にダイヤルし、携帯電話機（４）との回線を接続する。接続された携帯電話機（４）とインターホン（４０）を押下した来訪者との通話ができる。
不在でインターホン（４０）の押下の時の、受信する電話機は、携帯式の電話機であれば何でも良い。
又、具体的な構成及びシステムは、実施例に記載された内容に限られるものではなく、本発明の要旨を逸脱しない構成及びシステム等は本発明に含まれる。
【００３５】
【発明の効果】
従って、次の効果がある。
病院、老人ホーム等の介護支援センターが、高齢者等介護を必要とする在宅の居住者の安否を日々確認する為に、ＮＴＴ回線を利用して「おはようコール」を実施し安否確認を行う時、電話料金がかからず高齢者等介護を必要とする弱者に電話料金の負担が無くなる。
又、「おやすみコール」の実施も可能になり、１日２回安否確認ができ、万一の事態がおこりにくくなる。
【００３６】
「おはようコール」及び「おやすみコール」の実施の他に、高齢者の在宅時の生活サイクルの情報も収集でき、より万一の事態の防止が可能になる。又、独居老人等の孤独死の発見が早くなる。
判別できる内容が飛躍的に多くなり、老人会への案内に対して、出欠席の返事ができる等幅広い活用できる。
【００３７】
病院、老人ホーム等の介護支援センターが、高齢者等介護を必要とする在宅の居住者に対して、「おはようコール」実施の案内放送が不要になり、案内放送をする労力も必要なくなる。
又、電話料金も不要になり経費の節約になる。
「おはようコール」の実施時間の変更は、居住者宅への訪問する事なく、「おはようコール」の実施時間の変更ができる。
【００３８】
高齢者等の居住者は、「おはようコール」を実施する時間が、アナウンス等により通知される。
【００３９】
通院患者の服薬情報を薬袋への記述以外に伝達する事ができる。
【００４０】
在宅の患者は、患者自身の服薬時間、服薬個数等の服薬情報を忘れても、服薬時間のアナウンス、服薬個数等の情報の表示により通知され、規則正しい服薬が可能で病気回復の一助にもなる。
【００４１】
在宅患者の診察を往診する事なく、患者の顔色、バイタルサイン等診察に必要な情報が得られる。
【００４２】
特に、農村部等で介護する健常者は、田や畑で作業中に訪問者があった時、携帯電話機で対応ができる。
又、防犯にも活用ができる。
【００４３】
【図面の簡単な説明】
【図１】システム全体図
【図２】介護支援端末機側のブロック図
【図３】介護支援端末機／基本型のブロック図
【図４】介護支援端末機／簡易型Ａのブロック図
【図５】介護支援端末機／簡易型Ｂのブロック図
【図６】ＡＤＳＬネットワークのブロック図
【符号の説明】
１　　　　　　介護支援端末機
２　　　　　　電話機
３　　　　　　ＮＴＴ回線
４　　　　　　携帯電話機
５　　　　　　ＴＡ／ＤＳＵ
６　　　　　　ＨＵＢ
７　　　　　　パソコン等
８　　　　　　表示部
９　　　　　　記憶部
１０　　　　　制御部
１１　　　　　集音マイク
１２　　　　　音声発生装置
１３　　　　　スピーカ
１４　　　　　公衆回線モデム
１５　　　　　入力信号受信部
１６　　　　　入力信号制御部
１７　　　　　操作部
１８　　　　　挨拶
１９　　　　　選択
２０　　　　　確認
２１　　　　　取消
２２　　　　　緊急
２３　　　　　リモコン
２４　　　　　血圧計・体温計等
２５　　　　　呼出釦
２６　　　　　トイレ・浴室呼出釦
２７　　　　　生活サイクルセンサー等
２８　　　　　在不在釦
２９　　　　　ウエブカメラ
３０　　　　　介護支援端末機／基本型
３１　　　　　介護支援端末機／Ａ
３２　　　　　ダイヤル発信部
３３　　　　　保護回路部
３４　　　　　介護支援端末機／ＡＤＳＬ型
３５　　　　　介護支援端末機／Ｂ
３６　　　　　スプリッタ
３７　　　　　ＡＤＳＬモデム
３８　　　　　ノートパソコン
３９　　　　　パソコン
４０　　　　　インターホン
４１　　　　　ＡＤＳＬ収容ビル装置
【図１】
2004112735.tif 000002
【図２】
2004112735.tif 000003
【図３】
2004112735.tif 000004
【図４】
2004112735.tif 000005
【図５】
2004112735.tif 000006
【図６】
2004112735.tif 000007